(57)【要約】【課題】光ディスクが装填され、かつ停止時からの高速再起動が可能な光ディスク装置を提供する。【解決手段】球面収差補正手段を備えた光ディスク装置であって、光ディスクが装填され、光ディスクの回転停止状態が継続する場合、所定時間経過毎に、装填された光ディスクに対応して最適な球面収差補正レンズの位置情報である補正位置へ、球面収差補正レンズを移動制御する制御部を備える光ディスク装置。【選択図】図２
2014179144.tif 000002
【特許請求の範囲】
【請求項１】
球面収差補正手段を備えた光ディスク装置であって、
光ディスクが装填され、前記光ディスクの回転停止状態が継続する場合、所定時間経過毎に、装填された前記光ディスクに対応して最適な球面収差補正レンズの位置情報である補正位置へ、前記球面収差補正レンズを移動制御する制御部を備える光ディスク装置。
【請求項２】
前記補正位置の情報を保持するメモリを備え、
前記制御部は、前記補正位置への移動制御の際、前記メモリから前記補正位置の情報を読み出す請求項１記載の光ディスク装置。
【請求項３】
前記補正位置への移動制御処理では、一旦、ピックアップユニット毎に初期製造時に決めた球面収差補正レンズの位置情報である基準位置に、前記球面収差補正レンズを原点復帰させた後、
前記補正位置へ移動させる請求項１又は請求項２記載の光ディスク装置。
【請求項４】
前記所定時間の計時を行うカウンタを備える請求項１乃至請求項３のいずれか１項に記載の光ディスク装置。
【請求項５】
前記所定時間が経過せずに光ディスクの回転停止が解除されていなければ、所定時間の計時を継続する請求項１乃至請求項４のいずれか１項に記載の光ディスク装置。
【請求項６】
前記所定時間は、５分間である請求項１乃至請求項５のいずれか１項に記載の光ディスク装置。
【発明の詳細な説明】
【技術分野】
【０００１】
本発明の実施形態は、球面収差補正レンズ位置の調整を行う光ディスク装置に関する。
【背景技術】
【０００２】
光ディスク装置では、光ディスク毎にばらつく保護層の厚み誤差によって、球面収差が生じる。係る球面収差を補正するため、レーザー光路に球面収差補正レンズを配設し、ピックアップユニット毎に初期製造時に決めた基準位置から補正している。
【０００３】
光ディスク装置の起動時には球面収差補正レンズを移動し、例えば、補正位置でジッタの最良点を探す調整処理が行われ、最適の補正位置情報は保持される。
【０００４】
電源遮断やリセット動作、あるいは光ディスクの再生停止状態からの再起動時には、速やかに最適の補正位置に移動することで、光ディスクの再生を開始する。
【０００５】
球面収差補正レンズを補正位置に常在するように保持する際には、制御モータの発熱や消費電流を考慮して制御を停止状態（制御モータは非通電状態）にしている。
【０００６】
ところが、車載環境下で、光ディスクが装填されたままで再生停止状態が長時間に亘って続くと、温度変化や振動が加わったりして補正位置の機械的ズレが発生している場合がある。補正位置への移動制御には数１００ｍｓｅｃの時間がかかり、そのため、ユーザが再起動させても、調整時間が延び、再生までの時間が多くかかる場合があった。
【先行技術文献】
【特許文献】
【０００７】
【特許文献１】特開２００８−２０４５１６号公報
【発明の概要】
【発明が解決しようとする課題】
【０００８】
本発明が解決しようとする課題は、光ディスクが装填され、かつ停止時からの高速再起動が可能な光ディスク装置を提供することである。
【課題を解決するための手段】
【０００９】
実施形態の光ディスク装置は、球面収差補正手段を備えた光ディスク装置であって、光ディスクが装填され、前記光ディスクの回転停止状態が継続する場合、所定時間経過毎に、装填された前記光ディスクに対応して最適な前記球面収差補正レンズの位置情報である補正位置へ、球面収差補正レンズを移動制御する制御部を備える。
【図面の簡単な説明】
【００１０】
【図１】本発明の第１の実施形態に係る光ディスク装置の構成例を示す図である。
【図２】第１の実施形態に係る光ディスク装置における球面収差補正レンズ位置の調整処理の流れを示すフローチャートである。
【図３】第１の実施形態における補正位置への移動制御処理の流れを示すフローチャートである。
【図４】第２の実施形態に係る光ディスク装置における球面収差補正レンズ位置の調整処理の流れを示すフローチャートである。
【図５】第２の実施形態における補正位置への移動制御処理の流れを示すフローチャートである。
【発明を実施するための形態】
【００１１】
以下、本発明の一実施の形態について、図面を参照して説明する。尚、各図において同一箇所については同一の符号を付すとともに、重複した説明は省略する。
【００１２】
＜第１の実施形態＞
光ディスク装置では、球面収差を補正するために球面収差補正レンズを補正位置へ移動させた後、光ディスクの記録・再生が行われる。補正位置への移動後は、周知の手段による自己保持力によって、補正位置にとどまっている。
【００１３】
しかし、上述したように自己保持力を超える温度変化や振動が加わると補正位置の機械的ズレが発生する。
【００１４】
そこで、本実施形態に係る光ディスク装置では、光ディスクが装填されたまま光ディスクの回転停止状態が続く場合に、所定時間毎に、球面収差補正レンズの補正位置への移動制御を行うものである。
【００１５】
図１は、本発明の第１の実施形態に係る光ディスク装置の構成例を示す図である。図１に示すように、光ディスク装置１００において、光ディスク１はスピンドルモータ２、ドライバ回路３により、回転した状態にある。光ピックアップユニット４に搭載されたレーザダイオード５から出射された光はビームスプリッタ６、収差補正機構７を経由し、対物レンズ８により、光ディスク１上のデータ記録面に集光される。
【００１６】
そして、光ディスク１に集光された光はデータ記録面で反射され、その反射光は再度対物レンズ８、収差補正機構７、ビームスプリッタ６を通過した後、受光素子９に入り電気信号に変換される。受光素子９から出力される電気信号は、制御部１０に入力される。制御部１０は入力された信号を処理し、インターフェース１１を通じて外部接続機器との通信を行ったり、ドライバ回路３にフィードバックし、スピンドルモータ２や光ピックアップユニット４、ステッピングモータ１２の制御を行っている。また、制御部１０は後述するように、球面収差補正レンズ（図示せず）を備えた収差補正機構７の制御も行っている。
【００１７】
＜調整処理＞
次に、以上のように構成された光ディスク装置１００における球面収差補正レンズ位置の調整処理の流れについて説明する。図２は、実施形態に係る光ディスク装置における球面収差補正レンズ位置の調整処理の流れを示すフローチャートである。
【００１８】
まず、光ディスク装置１００に装填されている光ディスク１の回転用モータの停止処理を行う（ステップＳ２１）。再生停止状態であるので、光ディスク１の回転を止めるものである。
【００１９】
次いで、停止継続時間の計時をカウントアップする（ステップＳ２２）。本実施形態では、所定時間Ｔ毎に、補正位置への移動処理を行うので、時間を管理するものである。計時する手段はタイマーの他、特段の制約はない。
【００２０】
次に、停止継続時間が所定時間Ｔを超えたか否かを判定する（ステップＳ２３）。ここで、所定の停止継続時間は、例えば５分間とする。ここでの所定時間Ｔは任意に設定可能であるが、極端に長時間であると、機械的なズレの発生にタイムリーな対応が出来ないことになる。一方、極端に短時間であると、必要以上に補正移動処理を行うことになり、節電等の観点からも適切ではない。
【００２１】
光ディスク１の停止継続時間が所定時間Ｔを超えたならば（ステップＳ２３でＹｅｓ）、補正位置への移動制御処理を実行する（ステップＳ２４）。移動制御処理の詳細については、後述する。
【００２２】
一方、光ディスク１の停止継続時間が所定時間Ｔを超えていなければ（ステップＳ２３でＮｏ）、次に、ユーザによって光ディスク１の再生停止動作が解除されたか否かを判定する（ステップＳ２５）。
【００２３】
光ディスク１の再生停止動作が解除されていなければ（ステップＳ２５でＮｏ）、ステップＳ２３に戻る。
【００２４】
一方、光ディスク１の再生停止動作が解除されたならば（ステップＳ２５でＹｅｓ）、停止継続時間のカウントをクリア処理（ステップＳ２６）して、調整処理を終了する。停止継続時間カウントアップのループ中のいずれにおいても停止動作が解除される可能性がある。そこで、例えば、カウントアップ値がたとえば4分数十秒で停止動作が解除された場合、次の停止状態では残カウントアップ値ですぐに調整処理するのを防ぐため、処理を抜けるときにカウントをクリアするものである。
【００２５】
その後は、遅滞なく光ディスク１の再生を起動することになる。
【００２６】
＜移動制御処理＞
次に、球面収差補正レンズの補正位置への移動制御処理について説明する。図３は、補正位置への移動制御処理の流れを示すフローチャートである。
【００２７】
まず、光ディスク装置１００内に配設されているメモリから補正位置情報を読み出す（ステップＳ３１）。この補正位置は、例えば、次にように決められる。
【００２８】
光ディスク装置１００に光ディスク１を装填すると、光ディスク装置１００は装填された光ディスク１を認識し、光ディスク１に合わせたサーボ、信号処理等の調整処理を行う。光ディスク１に予め読み出しておく必要があるデータが存在する場合はそのデータの読み出した後、記録、再生準備完了状態となる。球面収差補正レンズによる球面収差調整は、サーボ、信号処理等の調整の一つとして行われ、装填された光ディスク１に対して最適な位置に球面収差補正レンズを位置づけする。係る最適な位置が補正位置である。
【００２９】
次いで、球面収差補正レンズの移動制御用モータの通電処理を行う（ステップＳ３２）。
【００３０】
次に、基準位置への移動処理を行う（ステップＳ３３）。ここで、基準位置とは、光ピックアップユニット４毎に初期製造時に決めた球面収差補正レンズの位置情報である。本実施形態では、補正位置への移動に先立ち、一旦、移動の際の原点となる基準位置へ移動させる。
【００３１】
その後、球面収差補正レンズの補正位置への移動処理を行う（ステップＳ３４）。
【００３２】
次に、球面収差補正レンズの移動制御用モータの非通電処理を行う（ステップＳ３５）。節電等のためである。
【００３３】
その後、光ディスク１の停止継続時間のカウンタをクリアして（ステップＳ３６）、補正位置への移動制御処理を終了し、ステップＳ２５に移行する。
【００３４】
本実施形態によれば、球面収差補正レンズ位置の調整が定期的に行われるので、光ディスク１を装填したままで回転停止中から高速で再起動することができる。
【００３５】
＜第２の実施形態＞
次に、本発明の第２の実施形態について説明する。第２の実施形態に係る光ディスク装置の基本的な構成は、第１の実施形態と同様である。
【００３６】
＜調整処理＞
次に、第２の実施形態に係る光ディスク装置における球面収差補正レンズ位置の調整処理の流れについて説明する。図４は、第２の実施形態に係る光ディスク装置における球面収差補正レンズ位置の調整処理の流れを示すフローチャートである。
【００３７】
まず、光ディスク装置に装填されている光ディスクの回転用モータの停止処理を行う（ステップＳ４１）。再生停止状態であるので、光ディスクの回転を止めているものである。
【００３８】
次いで、光ディスク装置内に配設されているメモリから補正位置情報を読み出す（ステップＳ４２）。
【００３９】
次いで、停止継続時間の計時をカウントアップする（ステップＳ４３）。本実施形態では、所定時間Ｔ毎に、補正位置への移動処理を行うので、時間を管理するものである。計時する手段はタイマーの他、特段の制約はない。
【００４０】
次に、停止継続時間が所定時間Ｔを超えたか否かを判定する（ステップＳ４４）。ここで、所定の停止継続時間は、例えば５分間とする。ここでの所定時間Ｔは任意に設定可能であるが、極端に長時間であると、機械的なズレの発生に十分対応できていないことになる。一方、極端に短時間であると、必要以上に補正移動処理を行うことになり、節電等の観点からも適切ではない。
【００４１】
光ディスク１の停止継続時間が所定時間Ｔを超えたならば（ステップＳ４４でＹｅｓ）、補正位置への移動制御処理を実行する（ステップＳ４５）。移動制御処理の詳細については、後述する。
【００４２】
一方、光ディスク１の停止継続時間が所定時間Ｔを超えていなければ（ステップＳ４４でＮｏ）、次に、ユーザによって光ディスク１の再生停止動作が解除されたか否かを判定する（ステップＳ４６）。
【００４３】
光ディスク１の再生停止動作が解除されていなければ（ステップＳ４６でＮｏ）、ステップＳ４４に戻る。
【００４４】
一方、光ディスク１の再生停止動作が解除されたならば（ステップＳ４６でＹｅｓ）、停止継続時間のカウントをクリア処理（ステップＳ４７）して、調整処理を終了する。その後は、遅滞なく光ディスクの再生を起動することになる。
【００４５】
＜移動制御処理＞
次に、球面収差補正レンズの補正位置への移動制御処理について説明する。図５は、第２の実施形態における補正位置への移動制御処理の流れを示すフローチャートである。
【００４６】
まず、球面収差補正レンズの移動制御用モータの通電処理を行う（ステップＳ５１）。
【００４７】
次に、基準位置への移動処理を行う（ステップＳ５２）。ここで、基準位置とは、光ピックアップユニット４毎に初期製造時に決めた球面収差補正レンズの位置情報である。本実施形態では、補正位置への移動に先立ち、一旦、移動の際の原点となる基準位置へ移動させる。
【００４８】
その後、球面収差補正レンズの補正位置への移動処理を行う（ステップＳ５３）。
【００４９】
次に、球面収差補正レンズの移動制御用モータの非通電処理を行う（ステップＳ５４）。節電等のためである。
【００５０】
その後、光ディスク１の停止継続時間のカウンタをクリアして（ステップＳ５５）、補正位置への移動制御処理を終了し、ステップＳ４６に移行する。
【００５１】
第２の実施形態によれば、メモリからの補正位置情報の読み出し回数を少なくしつつ、球面収差補正レンズ位置の調整が定期的に行われるので、光ディスク１を装填したままで回転停止中から高速で再起動することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１・・・光ディスク
２・・・スピンドルモータ
３・・・ドライバ回路
４・・・光ピックアップユニット
５・・・レーザダイオード
６・・・ビームスプリッタ
７・・・収差補正機構
８・・・対物レンズ
９・・・受光素子
１０・・・制御部
１１・・・インターフェース
１２・・・ステッピングモータ
１００・・・光ディスク装置
【図１】
2014179144.tif 000003
【図２】
2014179144.tif 000004
【図３】
2014179144.tif 000005
【図４】
2014179144.tif 000006
【図５】
2014179144.tif 000007